(57)【要約】【課題】ハウジングの大型化を回避する。【解決手段】フィルタ素子内蔵型コネクタＡは、合成樹脂製のハウジング１０と、ハウジング１０に設けた端子金具１９Ｌ，１９Ｒと、ハウジング１０に取付け可能であり、端子金具１９Ｌ，１９Ｒに接続されるフィルタユニット２０と、フィルタユニット２０を構成するフィルタ素子（コンデンサ２６及び抵抗３２）と、フィルタユニット２０を構成し、コンデンサ２６に溶接により固着されたコンデンサ用接続端子２９と、端子金具１９Ｌとコンデンサ用接続端子２９を接続するコンデンサ用中継端子３８Ｌと、フィルタユニット２０を構成し、抵抗３２に溶接により固着された抵抗用接続端子３５と、端子金具１９Ｒと抵抗用接続端子３５を接続する抵抗用中継端子３８Ｒとを備える。【選択図】図１
2016062673.tif 000002
【特許請求の範囲】
【請求項１】
合成樹脂製のハウジングと、
前記ハウジングに設けられた端子金具と、
前記ハウジングに対して取付け可能であり、前記端子金具に接続されるフィルタユニットと、
前記フィルタユニットを構成するフィルタ素子と、
前記フィルタユニットを構成し、前記フィルタ素子に溶接により固着された接続端子と、
前記端子金具と前記接続端子を接続する中継端子とを備えていることを特徴とするフィルタ素子内蔵型コネクタ。
【請求項２】
前記フィルタ素子が、リード線を有するコンデンサを含んでいることを特徴とする請求項１記載のフィルタ素子内蔵型コネクタ。
【請求項３】
前記フィルタ素子が、前記コンデンサに直列に接続される抵抗を含んでいることを特徴とする請求項２記載のフィルタ素子内蔵型コネクタ。
【請求項４】
前記ハウジングがインサート成形により前記端子金具と一体化されていることを特徴とする請求項１ないし請求項３のいずれか１項に記載のフィルタ素子内蔵型コネクタ。
【請求項５】
前記中継端子が、前記端子金具及び前記接続端子に対して弾性接触可能な弾性接触片を備えていることを特徴とする請求項１ないし請求項４のいずれか１項に記載のフィルタ素子内蔵型コネクタ。
【発明の詳細な説明】
【技術分野】
【０００１】
本発明は、フィルタ素子内蔵型コネクタに関するものである。
【背景技術】
【０００２】
特許文献１には、合成樹脂製のハウジングに、ワイヤーハーネスに接続される端子金具を取り付け、ハウジング内に収容したコンデンサ等のフィルタ素子を、端子金具に接続したフィルタ素子内蔵型コネクタが開示されている。
【先行技術文献】
【特許文献】
【０００３】
【特許文献１】特許第４５２４３１８号公報
【発明の概要】
【発明が解決しようとする課題】
【０００４】
この種のコネクタにおいて、フィルタ素子を端子金具に接続する手段としては、通常、半田等の溶接による方法が用いられる。特許文献１に記載されたコネクタでは、この溶接を用いた接続が、ハウジングの内部で行われるようになっている。そのため、溶接時の熱によって、合成樹脂製のハウジングが変形することが懸念される。これを回避するためには、ハウジングの内部空間に余裕を持たせ、ハウジングに溶接時の熱が及ばないようにする方法が考えられるが、そうすると、ハウジングが無駄に大きくなってしまう。
【０００５】
本発明は上記のような事情に基づいて完成されたものであって、ハウジングの大型化を回避することを目的とする。
【課題を解決するための手段】
【０００６】
本発明のフィルタ素子内蔵型コネクタは、
合成樹脂製のハウジングと、
前記ハウジングに設けられた端子金具と、
前記ハウジングに対して取付け可能であり、前記端子金具に接続されるフィルタユニットと、
前記フィルタユニットを構成するフィルタ素子と、
前記フィルタユニットを構成し、前記フィルタ素子に溶接により固着された接続端子と、
前記端子金具と前記接続端子を接続する中継端子とを備えているところに特徴を有する。
【発明の効果】
【０００７】
フィルタ素子内蔵型コネクタは、フィルタユニットをハウジングに取り付けるとともに、端子金具と接続端子を接続する中継端子を用いることによって組み立てることができる。溶接によるフィルタ素子と接続端子の接続は、ハウジングの外部で行うことができるので、溶接時の熱が合成樹脂製のハウジングに及ぶことを回避できる。したがって、ハウジングを無駄に大型化せずに済む。
【図面の簡単な説明】
【０００８】
【図１】実施例１のフィルタ素子内蔵型コネクタの一部切欠平面図
【図２】図１のＸ−Ｘ線断面図
【図３】中継端子による端子金具と接続端子との接続構造をあらわす拡大断面図
【図４】実施例２のフィルタ素子内蔵型コネクタの一部切欠平面図
【発明を実施するための形態】
【０００９】
（１）本発明のフィルタ素子内蔵型コネクタは、前記フィルタ素子が、リード線を有するコンデンサを含んでいてもよい。  
（２）本発明のフィルタ素子内蔵型コネクタは、（１）において、前記フィルタ素子が、前記コンデンサに直列に接続される抵抗を含んでいてもよい。
【００１０】
（３）本発明のフィルタ素子内蔵型コネクタは、前記ハウジングがインサート成形により前記端子金具と一体化されていてもよい。この構成によれば、端子金具が成形済みのハウジングに取り付けられるようになっている場合に比べると、組付け工数が少なくて済む。
【００１１】
（４）本発明のフィルタ素子内蔵型コネクタは、前記中継端子が、前記端子金具及び前記接続端子に対して弾性接触可能な弾性接触片を備えていてもよい。この構成によれば、各部品の寸法公差が大きくても、中継端子と端子金具との接続、及び中継端子と接続端子との接続を確実に行うことができる。
【００１２】
＜実施例１＞
以下、本発明を具体化した実施例１を図１〜図３を参照して説明する。本実施例１のフィルタ素子内蔵型コネクタＡは、合成樹脂製のハウジング１０と、左右一対の端子金具１９Ｌ，１９Ｒと、フィルタユニット２０と、２つの中継端子３８Ｌ，３８Ｒとを備えて構成されている。尚、以下の説明において、上下の方向については図２に表れる向きを基準とし、前後方向については図１〜３における左側を前側と定義する。
【００１３】
＜ハウジング１０＞
ハウジング１０は、ハウジング本体１１と、カバー１２とを組み付けて構成されている。ハウジング本体１１は、インサート成形により左右一対の端子金具１９Ｌ，１９Ｒと一体化されている。ハウジング本体１１は、上面と後面が開放された箱部１３と、箱部１３を構成する前壁部１４の前端外周縁から前方へ角筒状に延出したフード部１５とを一体に成形したものである。箱部１３を構成する底壁部１６には、左右方向のリブ状に突出したストッパ１７が形成されている。箱部１３の後面の開口部には、その下端縁に沿って上方へリブ状に立ち上がる抜止め部１８が形成されている。カバー１２は、側面視が略Ｌ字形をなし、ハウジング本体１１に対し箱部１３の上面と後面の開口を塞ぐように組み付けられる。
【００１４】
＜端子金具１９Ｌ，１９Ｒ＞
端子金具１９Ｌ，１９Ｒは、全体として前後方向に細長く延びた形態である。一対の端子金具１９Ｌ，１９Ｒは、左右に並列するように配されており、ハウジング１０の前壁部１４を前後に貫通した状態でインサート成形によりハウジング１０（箱部１３）と一体化されている。したがって、端子金具１９Ｌ，１９Ｒの前端側領域は、フード部１５内に収容され、図示しないワイヤーハーネスを構成する相手側端子（図示省略）に接続されるようになっている。端子金具１９Ｌ，１９Ｒの後端側領域は、箱部１３内に収容されている。
【００１５】
＜フィルタユニット２０＞
フィルタユニット２０は、絶縁性の合成樹脂からなるホルダ２１と、導電板２５と、コンデンサ２６（請求項に記載のフィルタ素子）と、抵抗３２（請求項に記載のフィルタ素子）と、コンデンサ用接続端子２９と、抵抗用接続端子３５とを備えて構成されている。後述するように、フィルタユニット２０の組み立ては、ハウジング１０の外部で行われる。組み立てが完了したフィルタユニット２０は、中継端子３８Ｌ，３８Ｒとともにハウジング１０に取り付けられる。
【００１６】
＜ホルダ２１及び導電板２５＞
ホルダ２１は、合成樹脂製、つまり、絶縁性材料からなる。ホルダ２１は、平面視形状が略方形であって、ブロック状をなす本体部２２と本体部２２の後端部における下端縁から後方へ延出した形態の板状部２３とを有している。本体部２２の左側縁部には、上面が開口されたコンデンサ用収容凹部２４Ｌが形成され、本体部２２の右側縁部には、上面が開口された抵抗用収容凹部２４Ｒが形成されている。導電板２５は、金属製の平板からなる。導電板２５は、インサート成形により、板状部２３の上面に露出するようにホルダ２１と一体化されている。
【００１７】
＜コンデンサ２６及びコンデンサ用接続端子２９＞
コンデンサ２６は、コンデンサ本体２７と、コンデンサ本体２７から延出する前後一対のリード線２８Ｆ，２８Ｒとを備えて構成されている。コンデンサ本体２７は、コンデンサ用収容凹部２４Ｌ内に収容されることにより、ホルダ２１と一体化されている。一対のリード線２８Ｆ，２８Ｒは、いずれも、コンデンサ本体２７の上面における前端部と後端部から上向きに導出されている。前側のリード線２８Ｆは、前方へ転向している。コンデンサ本体２７の前方には、コンデンサ用接続端子２９が配置されている。コンデンサ用接続端子２９は、前後方向に長い板状をなす。コンデンサ用接続端子２９の上面後端部には、前側のリード線２８Ｆが半田３０（溶接）により導通可能に固着されている。後側のリード線２８Ｒは、後方へ転向し、更に下向きに転向するように屈曲されている。後側のリード線２８Ｒは、導電板２５の上面に対し、半田３１（溶接）によって導通可能に固着されている。
【００１８】
＜抵抗３２及び抵抗用接続端子３５＞
抵抗３２は、抵抗本体３３と、抵抗本体３３から延出する前後一対の端子部３４Ｆ，３４Ｒとを備えて構成されている。抵抗本体３３は、抵抗用収容凹部２４Ｒ内に収容されることにより、ホルダ２１と一体化されている。一対の端子部３４Ｆ，３４Ｒは、いずれも、抵抗本体３３の上面における前端部と後端部から上向きに導出されている。前側の端子部３４Ｆは、前方へ転向している。抵抗本体３３の前方には、抵抗用接続端子３５が配置されている。抵抗用接続端子３５は、前後方向に長い板状をなす。抵抗用接続端子３５の上面後端部には、前側の端子部３４Ｆが半田３６（溶接）により導通可能に固着されている。後側の端子部３４Ｒは、後方へ転向し、更に下向きに転向するように屈曲されている。後側の端子部３４Ｒは、導電板２５の上面に対し、半田３７（溶接）によって導通可能に固着されている。これにより、コンデンサ２６と抵抗３２が、導電板２５を介して直列に接続されている。
【００１９】
＜コンデンサ用中継端子３８Ｌ＞
コンデンサ用中継端子３８Ｌは、所定形状に打ち抜いた金属板材に曲げ加工等を施して成型されたものである。図３に示すように、コンデンサ用中継端子３８Ｌは、前後両端面が開放された角筒部３９と、角筒部３９内に収容した前後対称な一対の弾性接触片４０とから構成されている。弾性接触片４０は、角筒部３９を構成する基板部４１の前後両端縁から延出した板状部２３を、角筒部３９内へ折り返して山形に屈曲変形させて形成されている。
【００２０】
＜抵抗用中継端子３８Ｒ＞
抵抗用中継端子３８Ｒは、所定形状に打ち抜いた金属板材に曲げ加工等を施して成型されたものであり、コンデンサ用中継端子３８Ｌと共通の部品である。即ち、抵抗用中継端子３８Ｒは、前後両端面が開放された角筒部３９と、角筒部３９内に収容した前後対称な一対の弾性接触片４０とから構成されている。弾性接触片４０は、角筒部３９を構成する基板部４１の前後両端縁から延出した板状部２３を、角筒部３９内へ折り返して山形に屈曲変形させて形成されている。
【００２１】
＜実施例１の作用及び効果＞
フィルタ素子内蔵型コネクタＡの製造工程を説明する。まず、インサート成形により、ハウジング本体１１を成形すると同時に、ハウジング本体１１と一対の端子金具１９Ｌ，１９Ｒを一体化させる。一方、ハウジング１０の成型工程とは別に、フィルタユニット２０の組み立てが行われる。フィルタユニット２０の組み立ては、まず、ホルダ２１と導電板２５をインサート成形により一体化させる。
【００２２】
次に、コンデンサ本体２７をコンデンサ用収容凹部２４Ｌ内に組付けるととも、抵抗本体３３を抵抗用収容凹部２４Ｒ内に組み付ける。そして、後側のリード線２８Ｒを半田３１により導電板２５に固着するとともに、後側の端子部３４Ｒを半田３７により導電板２５に固着する。さらに、前側のリード線２８Ｆにコンデンサ用接続端子２９を半田３０により固着するとともに、前側の端子部３４Ｆに抵抗用接続端子３５を半田３６により固着する。以上により、フィルタユニット２０の組み立てが完了する。
【００２３】
完成したフィルタユニット２０は、両接続端子２９，３５を先に向けてハウジング１０の後方から箱部１３内に収容する。そして、コンデンサ用中継端子３８Ｌの前端部を左側の端子金具１９Ｌに嵌合し、コンデンサ用中継端子３８Ｌの後端部をコンデンサ用接続端子２９に嵌合する。同時に、抵抗用中継端子３８Ｒの前端部を右側の端子金具１９Ｒに嵌合し、抵抗用中継端子３８Ｒの後端部を抵抗用接続端子３５に嵌合する。中継端子３８Ｌ，３８Ｒの嵌合は、端子金具１９Ｌ，１９Ｒ側と接続端子２９，３５側のいずれの側を先に行ってもよい。そして、ホルダ２１の前端がストッパ１７に当接すると、フィルタユニット２０が、ハウジング１０に対して前止まりされ、前後方向において所定の取付け位置に位置決めされる。
【００２４】
フィルタユニット２０が所定位置に位置決めされると、左側の端子金具１９Ｌとコンデンサ用接続端子２９がコンデンサ用中継端子３８Ｌを介して接続される。つまり、コンデンサ用接続端子２９とコンデンサ用中継端子３８Ｌを介すことによって、左側の端子金具１９Ｌとコンデンサ２６が接続される。これと同時に、右側の端子金具１９Ｒと抵抗用接続端子３５が抵抗用中継端子３８Ｒを介して接続される。つまり、抵抗用接続端子３５と抵抗用中継端子３８Ｒを介すことによって、右側の端子金具１９Ｒと抵抗３２が接続される。
【００２５】
中継端子３８Ｌ，３８Ｒによる接続が済んだ後は、フィルタユニット２０の後端部を下方へ少し変位させてホルダ２１を底壁部１６に載置させる。すると、板状部２３の後端が抜止め部１８に係止し、これにより、フィルタユニット２０がハウジング１０に対して後方への相対変位を規制される。また、ホルダ２１の左右両側面は箱部１３の左右両内壁面に当接しているので、フィルタユニット２０はハウジング１０に対して左右方向の相対変位を規制されている。以上により、フィルタユニット２０はハウジング１０に対して前後方向及び左右方向において位置決めされる。そして、最後にカバー１２を箱部１３に組付けると、板状部２３の後端縁部が底壁部１６とカバー１２との間で上下に挟み付けられる。これにより、フィルタユニット２０は、ハウジング１０に対し上下方向への相対変位を規制される。
【００２６】
本実施例１のフィルタ素子内蔵型コネクタＡは、合成樹脂製のハウジング１０と、ハウジング１０に設けられた一対の端子金具１９Ｌ，１９Ｒと、ハウジング１０に対して取付け可能であり、端子金具１９Ｌ，１９Ｒに接続されるフィルタユニット２０とを備える。フィルタユニット２０は、フィルタ素子としてのコンデンサ２６と、フィルタ素子としての抵抗３２と、コンデンサ２６に溶接により固着されたコンデンサ用接続端子２９と、抵抗３２に溶接により固着された抵抗用接続端子３５とを備えている。そして、一方の端子金具１９Ｌとコンデンサ用接続端子２９は、コンデンサ用中継端子３８Ｌを介して接続され、他方の端子金具１９Ｒと抵抗用接続端子３５は抵抗用中継端子３８Ｒを介して接続される。
【００２７】
本実施例１のフィルタ素子内蔵型コネクタＡは、フィルタユニット２０をハウジング１０に取り付けるとともに、一方の端子金具１９Ｌとコンデンサ用接続端子２９を接続するコンデンサ用中継端子３８Ｌと、他方の端子金具１９Ｒと抵抗用接続端子３５を接続する抵抗用中継端子３８Ｒとを用いることによって組み立てることができる。溶接によるコンデンサ２６とコンデンサ用接続端子２９との接続、及び溶接による抵抗３２と抵抗用接続端子３５との接続は、いずれも、ハウジング１０の外部で行うことができるので、溶接時の熱が合成樹脂製のハウジング１０に及ぶことを回避できる。したがって、ハウジング１０を無駄に大型化せずに済む。
【００２８】
また、ハウジング１０がインサート成形によって端子金具１９Ｌ，１９Ｒと一体化されている。この構成によれば、端子金具が成形済みのハウジングに取り付けられるようになっている場合に比べると、組付け工数が少なくて済む。また、コンデンサ用中継端子３８Ｌは、端子金具１９Ｌ及びコンデンサ用接続端子２９に対して弾性接触可能な弾性接触片４０を備えている。抵抗用中継端子３８Ｒも、端子金具１９Ｒ及び抵抗用接続端子３５に対して弾性接触可能な弾性接触片４０を備えている。この構成によれば、各部品の寸法公差が大きくても、コンデンサ用中継端子３８Ｌと端子金具１９Ｌとの接続、コンデンサ用中継端子３８Ｌとコンデンサ用接続端子２９との接続、抵抗用中継端子３８Ｒと端子金具１９Ｒとの接続、抵抗用中継端子３８Ｒと抵抗用接続端子３５との接続を確実に行うことができる。
【００２９】
＜実施例２＞
以下、本発明を具体化した実施例２を図４を参照して説明する。本実施例のフィルタ素子内蔵型コネクタＢは、フィルタ素子によって三相三角結線回路を構成したものである。本実施例２の作用効果は、実施例１と同じである。フィルタ素子内蔵型コネクタＢは、合成樹脂製のハウジング５０と、３つの端子金具５８と、フィルタユニット６０と、３つの中継端子７８とを備えて構成されている。本実施例２の中継端子７８は、実施例１のコンデンサ用中継端子３８Ｌ及び抵抗用中継端子３８Ｒと同一形状の共通部品であるから、説明は省略する。また、前後方向については、図４における左側を「前側」と定義する。左右方向については、図４における下側を「左側」、同図の上側を「右側」と定義する。
【００３０】
＜ハウジング５０＞
ハウジング５０は、ハウジング本体５１と、カバー（図示省略）とを組み付けて構成されている。ハウジング本体５１は、インサート成形により３つの端子金具５８と一体化されている。ハウジング本体５１は、上面と後面が開放された箱部５２と、箱部５２を構成する前壁部５３の外周縁から前方へ角筒状に延出した形態のフード部５４とを一体に成形したものである。箱部５２を構成する底壁部５５には、左右方向に延びたリブ状をなすストッパ５６が形成されている。箱部５２の後面の開口部には、その下端縁に沿って上方へリブ状に立ち上がる抜止め部５７が形成されている。カバーは、側面視が略Ｌ字形をなし、ハウジング本体５１に対し箱部５２の上面と後面の開口を塞ぐように組み付けられる。
【００３１】
＜端子金具５８＞
３つの端子金具５８は、同一形状の共通部品であり、左右に間隔を空けて並列配置されている。各端子金具５８は、全体として前後方向に細長く延びた形態である。これらの端子金具５８は、ハウジング５０の前壁部５３を前後に貫通した状態でインサート成形によりハウジング５０（箱部５２）と一体化されている。したがって、端子金具５８の前端側領域は、フード部５４内に収容され、図示しないワイヤーハーネスを構成する相手側端子（図示省略）に接続されるようになっている。端子金具５８の後端側領域は、箱部５２内に収容されている。
【００３２】
＜フィルタユニット６０＞
フィルタユニット６０は、絶縁性の合成樹脂からなるホルダ６１と、３枚の導電板６４Ｌ，６４Ｓと、３つのコンデンサ６６（請求項に記載のフィルタ素子）と、３つの抵抗７０（請求項に記載のフィルタ素子）と、３つの接続端子７４とを備えて構成されている。後述するように、フィルタユニット６０の組み立ては、ハウジング５０の外部で行われる。組み立てが完了したフィルタユニット６０は、中継端子７８とともにハウジング５０に取り付けられる。
【００３３】
＜ホルダ６１＞
ホルダ６１は、合成樹脂製、つまり、絶縁性材料からなる。ホルダ６１は、平面視形状が略方形であって、ブロック状をなす本体部６２と本体部６２の後端部における下端縁から後方へ延出した形態の板状部６３とを有している。本体部６２には、前後方向に細長い溝状をなし、本体部６２の上面に開放された形態の６つの収容凹部６５が形成されている。この６つの収容凹部６５は、ホルダ６１（本体部６２）の左端から右端に向かって順に並列するように配されている。
【００３４】
＜導電板６４Ｌ，６４Ｓ＞
３枚の導電板６４Ｌ，６４Ｓは、いずれも金属製の平板からなる。インサート成形によりホルダ６１と一体化されている。３枚の導電板６４Ｌ，６４Ｓのうち１枚の長尺導電板６４Ｌは、板状部６３の上面のうち後縁に沿った領域に配置され、板状部６３の上面に露出している。３枚の導電板６４Ｌ，６４Ｓのうち２枚の短尺導電板６４Ｓは、板状部６３の上面のうち長尺導電板６４Ｌよりも前方の領域において左右に並ぶように配置され、板状部６３の上面に露出している。
【００３５】
＜コンデンサ６６＞
コンデンサ６６は、コンデンサ本体６７と、コンデンサ本体６７から延出する前後一対のリード線６８Ｆ，６８Ｒとを備えて構成されている。コンデンサ本体６７は、収容凹部６５内に収容されることにより、ホルダ６１と一体化されている。一対のリード線６８Ｆ，６８Ｒは、いずれも、コンデンサ本体６７の上面における前端部と後端部から上向きに導出されている。前側のリード線６８Ｆは、前方へ転向している。後側のリード線６８Ｒは、後方へ転向し、更に下向きに転向するように屈曲されている。３つの後側のリード線６８Ｒは、夫々、互いに異なる導電板６４Ｌ，６４Ｓの上面に対し、半田６９（溶接）によって導通可能に固着されている。
【００３６】
＜抵抗７０＞
抵抗７０は、抵抗本体７１と、抵抗本体７１から延出する前後一対の端子部７２Ｆ，７２Ｒとを備えて構成されている。抵抗本体７１は、収容凹部６５内に収容されることにより、ホルダ６１と一体化されている。一対の端子部７２Ｆ，７２Ｒは、いずれも、抵抗本体７１の上面における前端部と後端部から上向きに導出されている。前側の端子部７２Ｆは、前方へ転向している。後側の端子部７２Ｒは、後方へ転向し、更に下向きに転向するように屈曲されている。３つの後側の端子部７２Ｒは、夫々、互いに異なる導電板６４Ｌ，６４Ｓの上面に対し、半田７３（溶接）によって導通可能に固着されている。これにより、各導電板６４Ｌ，６４Ｓが、夫々、１つのコンデンサ６６と１つの抵抗７０を直列に接続する。
【００３７】
＜接続端子７４＞
コンデンサ本体６７及び抵抗本体７１の前方には、接続端子７４が配置されている。３つの接続端子７４は、同一形状の共通部品である。接続端子７４は、平面視形状が略Ｔ字形をなしている。即ち、接続端子７４の前端側領域は、端子金具５８とほぼ同じ幅寸法の幅狭部７５となっており、接続端子７４の後端側領域は、幅狭部７５よりも幅寸法の大きい幅広部７６となっている。３つの接続端子７４は、その幅狭部７５を３つの端子金具５８と個別に対応させるようにして、左右に並ぶように配置されている。そして、各幅広部７６の左右両端部には、前側のリード線６８Ｆ又は前側の端子部７２Ｆが、半田７７（溶接）によって導通可能に固着されている。
【００３８】
＜実施例２の作用及び効果＞
フィルタ素子内蔵型コネクタＢの製造工程を説明する。まず、インサート成形により、ハウジング本体５１を成形すると同時に、ハウジング本体５１と３つの端子金具５８を一体化させる。一方、ハウジング５０の成型工程とは別に、フィルタユニット６０の組み立てが行われる。フィルタユニット６０の組み立ては、まず、ホルダ６１と３つの導電板６４Ｌ，６４Ｓをインサート成形により一体化させる。
【００３９】
次に、３つのコンデンサ本体６７を、最も左に位置する収容凹部６５と、左から２番目に位置する収容凹部６５と、右から２番目に位置する収容凹部６５に組付けるとともに、３つの抵抗本体７１を、残りの３つの収容凹部６５内に組み付ける。そして、各コンデンサ６６の後側のリード線６８Ｒを、夫々、半田６９により所定の導電板６４Ｌ，６４Ｓに固着するとともに、各抵抗７０の後側の端子部７２Ｒを、夫々、半田７３により所定の導電板６４Ｌ，６４Ｓに固着する。
【００４０】
これにより、最も左に位置する収容凹部６５に取り付けられたコンデンサ６６と、最も右に位置する収容凹部６５に取り付けられた抵抗７０が、長尺導電板６４Ｌを介して直列に接続される。また、左から２番目の収容凹部６５に取り付けられたコンデンサ６６と、左から３番目に位置する収容凹部６５に取り付けられた抵抗７０が、左側に位置する短尺導電板６４Ｓを介して直列に接続される。さらに、右から２番目に位置する収容凹部６５に取り付けられたコンデンサ６６と、右から３番目に位置する収容凹部６５に取り付けられた抵抗７０が、右側に位置する短尺導電板６４Ｓを介して直列に接続される。
【００４１】
そして、コンデンサ６６と抵抗７０には、接続端子７４を取り付ける。即ち、３つの接続端子７４のうち左側に配された接続端子７４の幅広部７６には、最も左に位置する収容凹部６５に取り付けられたコンデンサ６６の前側のリード線６８Ｆと、左から２番目の収容凹部６５に取り付けられたコンデンサ６６の前側のリード線６８Ｆが、半田７７により導通可能に固着される。また、中央に配された接続端子７４の幅広部７６には、左から３番目に位置する収容凹部６５に取り付けられた抵抗７０の前側の端子部７２Ｆと、右から３番目の収容凹部６５に取り付けられた抵抗７０の前側の端子部７２Ｆが、半田７７により導通可能Ｉ固着される。さらに、右側に配された接続端子７４の幅広部７６には、最も右に位置する収容凹部６５に取り付けられた抵抗７０の前側の端子部７２Ｆと、右から２番目の収容凹部６５に取り付けられたコンデンサ６６の前側のリード線６８Ｆが、半田７７により導通可能に固着される。以上により、フィルタユニット６０の組み立てが完了する。
【００４２】
完成したフィルタユニット６０は、３つの接続端子７４の幅狭部７５を先に向けてハウジング５０の後方から箱部５２内に収容される。そして、接続端子７４が端子金具５８に接近したところで、３つの中継端子７８を、夫々、対応する１つの接続端子７４の幅狭部７５（前端部）と１つの端子金具５８の後端部とに嵌合する。中継端子７８の嵌合は、端子金具５８と接続端子７４のいずれを先に行ってもよい。そして、ホルダ６１の前端がストッパ５６に当接すると、フィルタユニット６０が、ハウジング５０に対して前止まりされ、前後方向において所定の取付け位置に位置決めされる。
【００４３】
フィルタユニット６０が所定位置に位置決めされると、各端子金具５８には、夫々、１つの中継端子７８を介して１つの接続端子７４が接続される。これにより、左側に位置する端子金具５８と中央に位置する端子金具５８が、直列接続された１つのコンデンサ６６と１つの抵抗７０を介して接続される。また、中央に位置する端子金具５８と右側に位置する端子金具５８が、直列接続された１つのコンデンサ６６と１つの抵抗７０を介して接続される。さらに、左側に位置する端子金具５８と右側に位置する端子金具５８が、直列接続された１つのコンデンサ６６と１つの抵抗７０を介して接続される。このように、中継端子７８によるフィルタユニット６０と端子金具５８の接続が完了すると、三相三角結線回路が構成される。
【００４４】
中継端子７８による接続が済んだ後は、フィルタユニット６０の後端部を下方へ少し変位させてホルダ６１を底壁部５５に載置させる。すると、板状部６３の後端が抜止め部５７に係止し、これにより、フィルタユニット６０がハウジング５０に対して後方への相対変位を規制される。また、ホルダ６１の左右両側面は箱部５２の左右両内壁面に当接しているので、フィルタユニット６０はハウジング５０に対して左右方向の相対変位を規制されている。以上により、フィルタユニット６０はハウジング５０に対して前後方向及び左右方向において位置決めされる。そして、最後にカバーを箱部５２に組付けると、板状部６３の後端縁部が底壁部５５とカバーとの間で上下に挟み付けられる。これにより、フィルタユニット６０は、ハウジング５０に対し上下方向への相対変位を規制される。
【００４５】
本実施例２のフィルタ素子内蔵型コネクタＢは、合成樹脂製のハウジング５０と、ハウジング５０に設けられた３つの端子金具５８と、ハウジング５０に対して取付け可能であり、端子金具５８に接続されるフィルタユニット６０とを備える。フィルタユニット６０は、フィルタ素子としての３つのコンデンサ６６と、フィルタ素子としての３つの抵抗７０と、コンデンサ６６及び抵抗７０に溶接によって固着された３つの接続端子７４とを備えている。そして、３つの端子金具５８は、夫々、対応する１つの接続端子７４に中継端子７８を介して個別に接続される。
【００４６】
本実施例２のフィルタ素子内蔵型コネクタＢは、フィルタユニット６０をハウジング５０に取り付けるとともに、端子金具５８と接続端子７４を接続する中継端子７８を用いることによって組み立てることができる。溶接によるコンデンサ６６と接続端子７４との接続、及び溶接による抵抗７０と接続端子７４との接続は、いずれも、ハウジング５０の外部で行うことができるので、溶接時の熱が合成樹脂製のハウジング５０に及ぶことを回避できる。したがって、ハウジング５０を無駄に大型化せずに済む。
【００４７】
＜他の実施例＞
本発明は上記記述及び図面によって説明した実施例に限定されるものではなく、例えば次のような実施例も本発明の技術的範囲に含まれる。  
（１）上記実施例１，２では、中継端子が端子金具及び接続端子とは別体の部品であったが、中継端子は、端子金具に一体形成又は固着されていてもよく、接続端子に一体形成又は固着されていてもよい。  
（２）上記実施例１，２では、フィルタ素子としてコンデンサと抵抗を用いたが、フィルタ素子は、コイルと２つのコンデンサの組合せでもよく、コイルと１つのコンデンサの組合せでもよく、コイルだけであってもよく、コンデンサだけであってもよい。  
（３）上記実施例１，２では、コンデンサのリード線と抵抗の端子部を、溶接（半田付け）によって接続したが、リード線と端子部は接続金具を介してハウジングの外部で接続してもよい。  
（４）上記実施例１，２では、ハウジングがインサート成形によって端子金具と一体化されていたが、端子金具は、成形済みのハウジングに取り付けられるようになっていてもよい。
【符号の説明】
【００４８】
Ａ…フィルタ素子内蔵型コネクタ
１０…ハウジング
１９Ｌ，１９Ｒ…端子金具
２０…フィルタユニット
２６…コンデンサ（フィルタ素子）
２８Ｆ，２８Ｒ…リード線
２９…コンデンサ用接続端子（接続端子）
３２…抵抗（フィルタ素子）
３５…抵抗用接続端子（接続端子）
３８Ｌ…コンデンサ用中継端子（中継端子）
３８Ｒ…抵抗用用中継端子（中継端子）
４０…弾性接触片
Ｂ…フィルタ素子内蔵型コネクタ
５０…ハウジング
５８…端子金具
６０…フィルタユニット
６６…コンデンサ（フィルタ素子）
６８Ｆ，６８Ｒ…リード線
７０…抵抗（フィルタ素子）
７４…接続端子
７８…中継端子
【図１】
2016062673.tif 000003
【図２】
2016062673.tif 000004
【図３】
2016062673.tif 000005
【図４】
2016062673.tif 000006